Podtech/llm-jp-corpus-v4-ja_patent huggingface dataset:
(57)【要約】      （修正有）【課題】病弱な人や足腰の弱い人でも楽に使える、持手付き着座運動具を提供する。【解決手段】本持手付き着座運動具は、両側部に一対の側部持手２ａ，２ｂを有する湾曲傾斜板１に、後部支持フレーム３を折りたたみ自在に軸着し、かつ該湾曲傾斜板１前部に前部持手４を有する座板５を取り付け、該座板５を前部支持フレーム６によって支えてなる。【選択図】図１
0003174325.tif 000002
【実用新案登録請求の範囲】
【請求項１】
両側部に一対の側部持手（２ａ，２ｂ）を有する湾曲傾斜板（１）に、後部支持フレーム（３）を折りたたみ自在に軸着し、かつ該湾曲傾斜板（１）前部に前部持手（４）を有する座板（５）を取り付け、該座板（５）を前部支持フレーム（６）によって支えてなる持手付き運動具。
【考案の詳細な説明】
【技術分野】
【０００１】  本考案は、馬乗り状に跨って着座し、上体の前屈運動及び背中反らしストレッチ運動等を行う運動具に関するものであり、さらに詳しくは、それらの運動を行う際に持手を握って身体を支えながら行える、持手付き着座運動具に関するものである。
【背景技術】
【０００２】  台上で上体の前屈運動や腹筋運動、背中反らしストレット運動を行うための運動具は、これまで多数考案され実用化されている。しかしながら、そうした従来の運動具は、たいてい健常者を対象としたもので、病弱な人や足腰の弱い人には使い勝手が悪かった。【０００３】  そこで、病弱な人や足腰の弱い人でも使い易いように、滑り止めや肘掛けや足掛けを取り付けた運道具が考案され、すでに開示されている。
【先行技術文献】
【特許及び実用新案文献】
【０００４】
【特許文献】  特開平０８−２７５９７６号
【実用文献】
実用登録第３１０９３５９号
【考案の概要】
【考案が解決しようとしている課題】
【０００５】  しかしながら、病弱な人や足腰の弱い人のために考案された、そうした従来の運動具も、使用に際しては、いずれも平坦な台の上に身体を横たえる必要があるため、病弱な人や足腰の弱い人にとって、今一つ使い勝手が悪いという欠点があった。
【０００６】  本考案は、そうした欠点を解消するためになされたもので、すなわち、従来の運動具とは異なる新規な形状の、病弱な人や足腰の弱い人により配慮した、使い勝手の良い運動具を提供するものである。
【課題を解決するための手段】
【０００７】  すなわち、本考案による持手付き着座運動具は、両側部に一対の側部持手（２ａ，２ｂ）を有する湾曲傾斜板（１）に、後部支持フレーム（３）を折りたたみ自在に軸着し、かつ該湾曲傾斜板（１）前部に前部持手（４）を有する座板（５）を取り付け、該座板（５）を前部支持フレーム（６）によって支えてなるものである。
【考案の効果】
【０００８】  よって、本考案による持手付き着座運動具の使用に際しては、使用者は座板（５）上に馬乗り状に跨って着座し、前部持手（４）を握って上体の前屈運動を行い、背中反らしストレッチ運動を行う際には、側部持手（２ａ，２ｂ）を握って行うことが出来る。また、上体の前屈運動に限らず左右への側屈運動や捻転運動も、着座した姿勢で前部持手（４）を握って行うことが出来る。
【０００９】  つまり、着座した姿勢で、持手を握って身体を支えながら、種々の運動が行えるので、病弱な人や足腰の弱い人でも楽に運動が出来る。
【図面の簡単な説明】
【００１０】
【図１】  本考案による、持手付き着座運動具の斜視図。
【図２】  本考案による、持手付き着座運動具の側面図。
【図３】  前屈運動時の略式側面図。
【図４】  背中反らしストレッチ運動時の略式側面図。
【考案を実施するための形態】
【００１１】  本考案による持手付き着座運動具は、両側部に一対の側部持手（２ａ，２ｂ）を有する湾曲傾斜板（１）に、後部支持フレーム（３）を折りたたみ自在に軸着し、かつ該湾曲傾斜板（１）前部に前部持手（４）を有する座板（５）を取り付け、該座板（５）を前部支持フレーム（６）によって支えてなるものである。
【００１２】  よって、その使用に際しては、使用者は座板（５）上に馬乗り状に跨って着座し、前部持手（４）を握って上体の前屈運動を行い、背中反らしストレッチ運動を行う際には、側部持手（２ａ，２ｂ）を握って行うことが出来る。また、上体の前屈運動に限らず左右への側屈運動や捻転運動も、着座した姿勢で前部持手（４）を握って身体を支えながら行うことが出来るので、病弱な人や足腰の弱い人であっても楽に運動が出来る。
【実施例】
【００１３】  以下、図面に沿って一実施例を説明する。１は湾曲傾斜板であって、背中反らしストレット運動時に使用する。その湾曲形状は適度なストレッチ効果をもたらす。２ａ及び２ｂは一対の側部持手であって、湾曲傾斜板の側部に取り付けられており、背中反らしストレッチ運動時に、使用者はその側部持手を握って身体を支えながら行えるので、病弱な人や足腰の弱い人でも楽に運動ができる。【００１４】  ５は座板で、湾曲傾斜板（１）に着脱自在に取り付けられており、かつ前部支持フレーム（６）によって支えられている。座板には前部持手（４）が取り付けられているので、上体の前屈運動時に、使用者はその前部持手（４）を握って身体を支えながら行うことが出来る。よって、病弱な人や足腰の弱い人でも楽に運動ができる。３は後部支持フレームで、湾曲傾斜板に回動自在に軸着されており、収納時には折りたたむことが出来る。なお、７は着座運動具を折りたたんで収納する際に用いる補助支持フレームである。
【符号の説明】
【００１５】１    湾曲傾斜板
２ａ  側部持手
２ｂ  側部持手
３    後部支持フレーム
４    前部持手
５    座板
６    前部支持フレーム
７    補助支持フレーム
【図１】
0003174325.tif 000003
【図２】
0003174325.tif 000004
【図３】
0003174325.tif 000005
【図４】
0003174325.tif 000006
(57)【要約】      （修正有）【課題】小物を入れておくことができるポケット付手袋を提供する。【解決手段】手袋の手の甲部分に「くの字型」にファスナーを取り付け、斜め上方向に開口し、出し入れが容易で且つ零れ落ちにくいポケットを取り付け、ポケット内部に鍵などを留めるためのループを設ける。【選択図】図２
0003174328.tif 000002
【実用新案登録請求の範囲】
【請求項１】
手袋の手の甲部分を縁取るように、小指付け根から手首辺を通って親指付け根辺にかけて、略「く」の字形のファスナー式等の開口部を持つポケットを設け、ポケット外側の手首部分にダーツを設け、ポケット内部の収容スペースにゆとりをもたせ、ポケット内部の適所に鍵等を留めおくためのループを設けたことを特徴とするポケット付き手袋。
【考案の詳細な説明】
【技術分野】
【０００１】  本考案は、小銭や電子マネーのカード等を収納する為のファスナーポケット付き手袋に関する。
【背景技術】
【０００２】  駅の改札でスイカ等のカードや切符を出す場合に、手袋をしている場合には通常手先の感覚が鈍いため、片方を外してカバンの中からカード等を取り出し改札を通過することが多く、ちょっとした買い物などで、小銭なども用意するのに手間取ってしまうことがしばしばあった。
【考案の概要】
【考案が解決しようとする課題】
【０００３】  手袋をしていると、カバンなどから小物等を取り出しにくく、探す手間がかかってしまう。ちょっとした外出でも洋服のポケットに複数の小物を入れると落としてしまったり、歩きにくかったりする。
本考案は、以上の問題点を解決するためになされたものである。
【課題を解決するための手段】
【０００４】  手袋の手の甲部分を縁取るように、小指付け根辺から手首辺を通って親指付け根辺にかけて、略「く」の字形のファスナー式等の開口部を持つポケットを設け、ポケット外側の手首辺にダーツを設け、ポケット内部の収容スペースにゆとりをもたせる。ポケット内部の適所に鍵等を留めおくためのループを設ける。
以上の構成よりなるポケット付き手袋である。
【考案の効果】
【０００５】  本考案により手袋本体に小物を収納でき、スイカ等はそのまま改札で手の甲をかざせば通過することができる。
本考案は電子マネーカード等だけでなく、小銭や家の鍵などを入れておくと、近所の買い物や、犬の散歩、作業等にも活用できる。
又、ポケットのファスナー式等の開口部の略「く」の字形が、指付け根辺を辿る
下方向きでなく、小指付け根から手首辺を通って親指付け根辺に至る上方向きになっているので、物の出し入れ時に零れ落ちる心配もない。開口部が大きく斜め角度を含むので、人間工学的にも開閉し易く、物の出し入れがスムーズにできる。
【図面の簡単な説明】
【０００６】
【図１】本考案の斜視図
【図２】本考案の実施例を表す斜視図
【考案を実施するための形態】
【０００７】  以下、本考案の実施の形態を説明する。
（イ）手袋の甲の部分にファスナー（１）を、小指の付け根辺から手首辺を通り親指の付け根辺にかけて略「く」の字形に設ける。
（ロ）ポケットの手首辺にダーツ（２）を設け、ポケット（５）内の収容スペースにゆとりをもたせる。
（ハ）指部分は伸縮性のある布でマチ（４）を設ける。
（ニ）ポケット内側にはキーホルダー用にループ（６）を複数、設ける。
本考案は以上のような構造である。
本考案を使用するときは、片方の手袋のループ（６）に鍵などを通し、その場合はもう片方の手袋にカード（７）もしくは小銭などを入れて使う。ミニサイズのカイロ程度の大きさまで入れることができる。
親指側にファスナー（１）の開閉部があるため双方の手で開閉しやすい。手首部分（３）から指つけ根までの深めのポケット（５）なので、中身のカード（７）などが落ちにくく、安心感がある。
【符号の説明】
【０００８】１  ファスナー
２  ダーツ
３  手首部分
４  マチ
５  ポケット
６  ループ
７  カード
８  鍵
【図１】
0003174328.tif 000003
【図２】
0003174328.tif 000004
(57)【要約】      （修正有）【課題】簡単に誰でも取付けることができる保温材を提供する。【解決手段】断熱材を耐熱クロスで包んだものに耐熱の磁石を内蔵し、磁力の力で簡単に脱着を可能にした。【選択図】図１
0003174323.tif 000002
【実用新案登録請求の範囲】
【請求項１】
断熱材を耐熱クロスで包んだものに、耐熱磁石を内蔵し簡単に脱着可能にした保温材。
【考案の詳細な説明】
【技術分野】
【０００１】  本考案は磁石で取り付ける保温材に関するものである。
【背景技術】
【０００２】  ボイラー設備、およびプレス機等の諸熱源施設において、メンテナンスや、蒸気配管の変更にともなう保温材の解体が行われた場合、一度使った保温材はボロボロなことが多いため廃棄され、再度、保温材を付け直されることは少ない。又、もともと保温材の取り付けが困難と思われて保温材が付けられなかった機械、たとえばクリーニング店のプレス機の裏側など保温をすればＣＯ２削減効果が見込めるのに真っ平らで取り付けするための引っかかりがないために保温を行われるケースはない。それは一般に保温といえば工事を伴うものであり、費用も時間も掛かる概念があるため、裸の放熱部があっても、そのままにしているのが通例になってしまっていた。
【考案の概要】
【考案が解決しようとする課題】
【０００３】  放熱部を裸のままにしていることは無駄にＣＯ２を増やし燃料を捨てているに等しく燃料費など経済的負担も大きい、解体した保温材は産業廃棄ごみとなってしまうことと、また設備を管理する人に対し火傷の危険性を残すことになる。
【課題を解決するための手段】
【０００４】  本考案はグラスウール等の保温材をアルミガラスクロスやシリコンガラスクロス等の耐熱クロスで包み、その中に埋め込んだ磁石の力で素人でも簡単に脱着ができ、壊れるまで使用が可能になり安価な材料で提供できることにより前述の欠点を解決しようとするものである。
【考案の効果】
【０００５】  上述のように、本考案の磁石脱着式保温材は費用も時間も従来の条件に比べ遙かに早く、安く、ごみも出にくい、磁力で付く土台であれば、いままでに施工できなかった場所へも取り付けられる可能性が増えた。そして、熱ロスの対策はエネルギー管理項目にもあがっていることからもＣＯ２削減の取り組みの一つとしてこの手軽さは有効である。また機械用であれば、機械の型番ごとに管理すれば全国に配送し発注者で取り付けも可能となる。そして保温材は周知技術である防音効果もあることから需要は計り知れない。
【図面の簡単な説明】
【０００６】
【図１】本考案の磁石式脱着保温材の四角タイプを示した立体図である。
【図２】本保温材の断面図である。
【図３】本保温材の取り付け例である。
【考案を実施するための形態】
【０００７】  材質については、その被覆される物の特性、形状により選定、加工する。
【０００８】  形状についてはそのまま平な壁面、天井などに貼り付ける以外に、円柱「図３」、角柱にも巻きつけることができ、長い周囲であっても保温材２枚以上の連結で対応もできる、この場合まきつけられる本体が磁力の利かない材質だとしても保温材本体に内蔵されている磁石同土が重なることによって自力での吸着も可能。形状についても四角にこだわらず、現場の状況に対応した形状作成も可能。
【産業上の利用可能性】
【０００９】ボイラー需要家、病院、クリーニング業界、保温工事業者、保温材販売業者に利用可能性大。
【符号の説明】
【００１０】  １  断熱材
２  耐熱クロス
３  耐熱磁石
４  耐熱テープ
【図１】
0003174323.tif 000003
【図２】
0003174323.tif 000004
【図３】
0003174323.tif 000005
(57)【要約】【課題】  携帯靴べらであって、洋服の内ポケットにクリップで携帯できる携帯靴べらであること。【解決手段】  本考案の携帯靴べらは、波動形に形成した針金をクリップを設けたキャップに固着し、前記針金に鞘を設けた構成にしことを特徴した携帯靴べら。【選択図】図１
0003174329.tif 000002
【実用新案登録請求の範囲】
【請求項１】
波動形に形成した針金をクリップを設けたキャップに固着し、前記針金に鞘を設けた構成したことを特徴とする携帯靴べら。
【考案の詳細な説明】
【技術分野】  本考案は、靴べらを洋服の内ポケットにクリップで携帯できるようにした携帯靴べらに関するものである。
【背景技術】  従来、靴べらは、靴べらを握る手に近い方から末広がりの形になり、足のかかとの当たるところを上に反り返る形状になる。小さいもので手のひらに入るものから、足ひざに届くような長いものなど数多くある。また、小さい靴べらに柄をつなぎ、折りたたみができるように仕上げておき、たたんでポケットに携帯できる靴べらもある。
【考案の開示】
【考案が解決しようとする課題】  日本の風習では玄関で靴を脱ぎ床に上がる。大勢の人の集まる旅館の玄関で帰りに靴べらの順番待ちになることもある。そこで手のひらサイズの靴べらを洋服のサイドポケットに入れる。従来の靴べらは小さくても反り返った形状とポケットに入れたときのかさばりや靴べらの汚れや匂いなど気になる衛生面の問題点を有している。
【課題を解決するための手段】  本考案は、前記問題を解決する手だてとして、波動形に形成した針金をクリップを設けたキャップに固着し、前記針金に鞘を設けた構成したことを特徴としたことにより問題点を解決している。
【考案の効果】  本考案に係る携帯靴べらは、波動形に形成した針金をクリップを設けたキャップに固着し、前記針金に鞘を設けた構成したことにより、携帯靴べらは小型軽量に仕上がり、洋服の内ポケットにかさばることなくクリップで携帯できる。また、針金に鞘を設けたことで汚れや匂いなど気になる衛生面の解消に役立つものである。
【考案を実施するための形態】
本考案の携帯靴べらは、洋服の内ポケットにクリップで携帯できるようにし、靴べらの針金に鞘を設けたものである。。
【実施例】  本考案に係る携帯靴べらを図示の実施例に基づいて説明する。図１は、波動形２、３に形成した針金１は直径１．６ｍｍの曲がりにくい堅さの金属丸線材を使い、クリップ５を設けたキャップ４に固着する。図２は、前記針金１に金属パイプや合成樹脂パイプの鞘６を設け洋服の内ポケットに携帯できるようにする。
【図面の簡単な説明】
【図１】  本考案に係る携帯靴べらを示す斜視図である。
【図２】  本考案の針金に鞘を設けた一部断面の斜視図である。
【符号の説明】１  針金
２、３  波動形
４  キャップ
５  クリップ
６  鞘
【図１】
0003174329.tif 000003
【図２】
0003174329.tif 000004
(57)【要約】      （修正有）【課題】停電時や電源が無い場合でも安定した保冷・保管ができ、簡便かつ省スペースな設備で再利用も可能な保冷棺を提供する。【解決手段】十分な断熱性を有し遺体を載置するに足る寸法の板体１から成る底部と、十分な断熱性を有し遺体の側方を囲むに足る枠体２から成る側枠部と、十分な断熱性を有し該枠体上面を覆い塞ぐに足る蓋体３から成る蓋部とを基本的構成部材とし、その少なくとも底部と側枠部間を分断状または蝶番状に形成する。また枠体２は四隅を蝶番類やポリプロピレン等の溝で連結した形にすることにより二枚板に畳めるようにしたり、底部の板体１の辺縁部に填め込み可能な複数の板に分断してもよい。【選択図】図１
0003174321.tif 000002
【実用新案登録請求の範囲】
【請求項１】
十分な断熱性を有し遺体を載置するに足る寸法の板体から成る底部と、十分な断熱性を有し遺体の側方を囲むに足る枠体から成る側枠部と、十分な断熱性を有し該枠体上面を覆い塞ぐに足る蓋体から成る蓋部とを基本的構成部材とし、その少なくとも底部と側枠部間を分断状または蝶番連結状に形成したことを特徴とする簡易保冷棺。
【請求項２】
枠体を蝶番類で連結して形成した請求項１記載の簡易保冷棺。
【請求項３】
枠体を底部板体の辺縁部に填め込み可能な複数の板に分断した請求項１記載の簡易保冷棺。
【考案の詳細な説明】
【技術分野】
【０００１】この考案は、遺体の保冷機能を有する簡便な棺に関する。
【背景技術】
【０００２】従未は、遺体を霊安室などで保管するときに、電気式冷蔵庫などに冷蔵保管するか、あるいは一般的な箱状棺の中でドライアイスや保冷剤を大量に使って対応していた。
【考案の概要】
【考案が解決しようとする課題】
【０００３】電気式冷蔵庫の場合は、高値で設置スペースも大きいため、多く設置できず、停電時には使用できなくなる問題点がある。【０００４】一般的な棺にドライアイスなど保冷材を使用するだけでは、長時間の安定した保冷ができない。また棺は箱状で上方のみ開口しているため、遺体を移し替えることが困難である。また一般的な棺では断熱性を持たせたり再利用したりすることが難しいという問題点もある。【０００５】本考案はかかる問題点を解決して、停電時や電源が無い場合でも安定した保冷・保管ができ、簡便かつ省スペースな設備で再利用も可能な保冷棺を提供することを課題とする。
【考案の概要】
【課題を解決するための手段】
【０００６】十分な断熱性を有し遺体を載置するに足る寸法の板体１から成る底部と、十分な断熱性を有し遺体の側方を囲むに足る枠体２から成る側枠部と、十分な断熱性を有し該枠体上面を覆い塞ぐに足る蓋体３から成る蓋部とを基本的構成部材とし、その少なくとも底部と側枠部間を分断状または蝶番状に形成して、本考案の簡易保冷棺とする。【０００７】棺を構成する構造材は軽量な高断熱ボードを使うことが好ましいが、十分な断熱性を付与させるために、板体１の上面や蓋体３の下面などに断熱材６を積層させてもよい。【０００８】枠体２は必ずしも始めから枠状に固定されたものに形成する必要はない。すなわち非使用時において、四隅を蝶番類（ポリプロピレン等の溝も含む）で連結した形にすることにより二枚板に畳めるようにしたり、底部の板体１の辺縁部に填め込み可能な複数の板に分断しておいてもよい。【０００９】なお、枠体２の内側に温度センサー（図示せず）を取り付け、外側に温度表示体７を設けることが好ましい。
【考案の効果】
【００１０】本効果によれば、棺が箱状でなく、部分に分割していて、遺体を載置する底部は板状になっているから、使用しない場合は立てて保管できると同時に、遺体を容易に乗せ寝かせられるので、作業の容易性と安全性が著しく高まる。【００１１】また遺体を載置した後に枠体で囲み、蓋体で覆って保管する際、分割された構造材に断熱性を付与したり、保冷材を出し入れすることも容易であるから、災害時などで遺体が急増した場合でも臨機応変に対応できる。【００１２】また霊安室の温度が高くなる場合や、高断熱の効果で棺内の温度上昇が抑えられて保冷が可能になり、停電時や電気冷蔵庫が調達できない場合でも、すぐに保冷・保管ができるので、予備的対処が可能になる。【００１３】更に、このように分割されていると、内部の洗浄が容易となり、再使用が可能となって、廃棄物の減少と省資源につながるという効果もある。
【考案を実施するための形態】
【００１４】棺としての強度を有すると同時にできるだけ断熱性のある素材で板体１、枠体２及び蓋体３を形成するとともに、板体１の上面及び蓋体３の下面に、発泡ポリエチレン等から成る断熱シートないしマット状の断熱材６を積層する。遺体の保冷は、基本的に保冷剤やドライアイス等の保冷材等を収容したり冷風装置を取り付ける等、在来方法を踏襲する。
【実施例】
【００１５】望ましい実施例として、図１に掲げるような蓋体３、枠体２、底の板体１の３部分に分断された（非使用時における）棺を挙げることができる。その蓋体３下面の断熱材６の下側には、ネット等の空気解放部を有する保冷材４の収容部５を取り付ける。また枠体２の外側に、内側に収めた温度センサーからの温度情報を表示する温度表示体７（ディスプレイ）を設ける。
【産業上の利用可能性】
【００１６】既に述べたように本考案の簡易保冷棺は市場ニーズが甚だ高く、量産に即した製造も容易であるので、産業上の利用可能性は十分にある。
【図面の簡単な説明】
【００１７】
【図１】本考案一例を、３部分を引き離した状態で示した見取図
【符号の説明】
【００１８】１・・・・・・板体
２・・・・・・枠体
３・・・・・・蓋体
４・・・・・・保冷材
５・・・・・・収容部
６・・・・・・断熱材
７・・・・・・温度表示体
【図１】
0003174321.tif 000003
(57)【要約】      （修正有）【課題】建物の構造体において、１００年以上の耐久性能と冷暖房費の削減によるＣＯ２削減効果もある快適な居住空間を実現する軽量鉄骨パイプ制震構造建築用パネルを提供する。【解決手段】軽量鉄骨パイプ枠に人工木材内枠を補強組付けてその組付け板面に木毛セメント板・石膏ボードを制震粘着テープにて貼りつけた上にスクリュークギで打ち付るその、軽量鉄骨パイプ制震構造建築用パネル使用のその建物は白蟻による食害もなく地震の際には制震モノコック構造で居住者や建物や家財が守られる。【選択図】図１
0003174378.tif 000002
【実用新案登録請求の範囲】
【請求項１】
溶融亜鉛メッキ軽量鉄骨パイプと人工木材胴縁の組合せ建築用パネルを制震粘着テープによりパネル表面およびパネル構造組立接合面に貼り付け１００年以上有効な制震モノコック構造体を形成することを特徴とする建築用パネル。
【請求項２】
前記建築用パネルの人工木材は胴縁として主構造体である溶融亜鉛メッキ軽量鉄骨パイプを傷めることなく錆や腐食による損傷や人工木材の防蟻性も１００年以上の長期にわたる耐久力を持つことを特徴とする建築用パネル。
【請求項３】
前記建築用パネルの溶融亜鉛メッキ軽量鉄骨パイプである鉄材としての熱伝導の優位性において床暖房の熱を壁面に伝導することにより木毛セメント板等の壁面材の蓄熱放熱効果とさらに夏期にあっては床面からの冷熱を伝導することによる快適な居住空間を提供することを特徴とする建築用パネル。
【考案の詳細な説明】
【技術分野】
【０００１】  本考案は制震構造建築用パネルに関する
【背景技術】
【０００２】  建築パネル構造体は木造パネル工法が主流であるがそれは耐震構造ではあるが制震構造体には至らない現状がある。【０００３】  木造パネル工法の場合木材としてのすぐれた断熱性を有するが白蟻の被害に悩まされる結果その防蟻対策には有害物質薬品等を使用している現状がある。【０００４】  従来軽量鉄骨造において主要構造体である軽量鉄骨に胴縁としての役割を直接クギ打ちやスクリュークギ等で打ちつけ傷をつけることで結露や雨漏りによる錆や腐食はさけられず構造体を損傷することにより耐久力を滅失している現状がある。
【考案の概要】
【考案が解決しようとする課題】
【０００５】  本考案は耐震構造はもとより建築パネル構造においてさらに制震構造とすることにより１００年以上の耐久力の制震モノコック構造の建物を供給することが可能となります。【０００６】  本考案は木造パネル工法や軽量鉄骨造において白蟻の被害や錆や腐食による損傷を使用部材と工法の考案によって解決を計ること。
【課題を解決するための手段】
【０００７】  本考案の制震構造は１００年以上有効なプケルゴム系の強力な粘着力を持つ制震テープを用い、建築パネルと建築パネルの接続面に貼り付けることと壁面となる木毛セメント板、石膏ボードを建築パネル表面に貼り付けた後スクリュークギ等で打ちつけることにより制震モノコック構造の建物となります。【０００８】  本考案の建築用パネルの使用部材は溶融亜鉛メッキ軽量鉄骨パイプと人工木材と木毛セメント板と石膏ボードとロックウールは白蟻による食害はゼロであり人工木材による胴縁により主要構造体である溶融亜鉛メッキパイプを損傷することなく空胴部分においてはロックウールを充鎮することで使用部材選定は万全である。
【考案の効果】
【０００９】  本考案の建築用パネルは制震構造体であり使用部材は長期間の耐久力を備え全て環境に配慮したＣＯ２対策建築物であることから１００年以上の快適居住空間を提供できるものである。【００１０】  本考案の建築用パネルは耐火構造体でありさらに制震粘着テープによる高い気密性を確保できるので計画換気を行い結果わずかな冷暖房費用で夏は涼しく冬暖かな省エネルギー住空間を提供できるものである。【００１１】  本考案の建築用パネルは工場生産による高い精度が建築コストを引下げその耐久性と省エネルギー性を備えた高資産価値建物を提供できるものである。
【図面の簡単な説明】
【００１２】
【図１】  本考案に係る建築用パネルの骨組み部分を示す概略図であり、この部分は工場生産となり組付け作業は現場で行う。
【図２】  本考案に係る建築用パネルの制震構造としての粘着テープの貼付と耐火構造となる木毛セメント板・石膏ボードの打ち付けを示す概略図である。
【図３】  本考案に係る建築用パネルと建築用パネルの接続により建物としての小屋組の一部を示す概略図である。
【考案を実施するための形態】
【００１３】  本考案の実施形態について図面を参照して説明する、図１は本考案に係る建築用パネルの骨組み部分として主要構造体である溶融亜鉛メッキ軽量鉄骨パイプと人工木材による補助構造体の組付けの実施形態を示す、これにより強度補強が得られる。
【００１４】  図２は本考案に係る建築用パネルの制震構造体と耐火構造を示すもので重要な部分としての実施形態を示す、これにより高熱・放熱効果も得られる。
【００１５】  図３は本考案に係る建築用パネルの建物としての壁構造体に気密性も確保することの実施形態を示す、これにより冷暖房費の削減が得られる。
【図１】
0003174378.tif 000003
【図２】
0003174378.tif 000004
【図３】
0003174378.tif 000005
【手続補正書】
【提出日】平成23年12月22日(2011.12.22)
【手続補正１】
【補正対象書類名】実用新案登録請求の範囲
【補正対象項目名】全文
【補正方法】変更
【補正の内容】
【実用新案登録請求の範囲】
【請求項１】
溶融亜鉛メッキ軽量鉄骨パイプと人工木材胴縁による制震構造体を形成することを特徴とする建築用パネル。
(57)【要約】      （修正有）【課題】機械装置や火及び熱等を用いないで、自然の空気が通り抜けるたびに、本体に担持させた放出香成分が本体の開口部を通して放香する放出香製品を提供する。【解決手段】円錐形或いは角錐形或いは円柱形或いは角柱形など立体形１を成し、上部及び底部及び側面部に開口部２，３，４を設けた本体に放出香成分を吸着もしくは吸収させ、部屋の開け閉めや人の出入りなどで生じる自然な空気が通り抜けるたびに本体の開口部を通して放出香成分が漂う構造とする。立体的な形状に作成する本体に使用する材料としては、放出香成分が吸着もしくは吸収しやすい素材である紙或いは紙成型品或いは素焼き陶器或いは石膏或いは繊維或いは木材或いはプラスチックなど１種或いは２種以上の組み合わせを用い、該本体の上部及び底部及び側面部の開口部の数や穴の大きさにより空中への放散具合を調整する。【選択図】図２
0003174376.tif 000002
【実用新案登録請求の範囲】
【請求項１】
本体に放出香成分を付着もしくは展着させ、空気が通り抜けるたびに本体の開口部を通して放出香成分が漂う構造の放出香製品。
【請求項２】
立体的な形状に作成する本体に、放出香成分が吸着、吸収しやすい紙、紙成型品、素焼き陶器、石膏、繊維、木材を用いる。該本体に設ける開口部の数によって空中への放散具合を調整できる請求項１記載の放出香製品。
【考案の詳細な説明】
【技術分野】
【０００１】本考案は、紙又は紙成型品、素焼き陶器、石膏、繊維、木材など放出香成分の吸着・吸収機能の優れた素材からなる簡易で安価な放出香製品に関する。
【背景技術】
【０００２】放出香製品に関しては、容器と溶液、装置と溶液の製品先行技術が多く見受けられます。ゲル状、粒ゲル或いは液状品の技術開発、またそれらと装置の組み合わせたものが大多数である。
【考案が解決しょうとしている課題】
【０００３】ゲル状、粒ゲル或いは液状品は、それだけでは香りが充分に拡散しない。そのため機械装置との併用が必要となる。また液状品の場合  倒れた時の液漏れの心配もある。加工も複雑で困難である。
本製品は加工が容易く、装置の必要もなく、自然の対流を利用し６〜８畳の空間を充分に満たす香りが、長時間持続可能で、且つ安価である。
【課題を解決するための手段】
【０００４】上記の課題を解決するために、本考案の放出香製品は本体に紙、石膏等を用いることで、組み立ても容易で、放出香成分も本体に直接塗布したり、散布したりできるため安価で、倒れても今までの市販品と違い液が洩れる心配もなく、開口部を塞ぐことで余分な放香も調整できる様になる。機械装置や火及び熱等を用いないで、自然の空気が本体の開口部を通り抜けることで放香が可能な放出香製品である。
【考案を実施するための形態】
【０００５】図１に示す平板本体に、放出香成分を塗布或いは散布し、バインダーで固定する。次に図２に示すように壁面又は側面に穴を開け開口部４とする。次に底部に穴を開け開口部３とする。７の罫線を折って５の差し込みを６の穴部に差し入れて固定する。
【考案の効果】
【０００６】本考案の放出香製品は、紙、石膏等を用いるために簡単に立体化でき、担持させた放出香成分は室内の空気が滞留時は、本体内部に充満し、少しの通気で外部へ広がる安価で実用性、装飾性に優れています。
【図面の簡単な説明】
【０００７】
【図１】  本考案に係る紙を用いた放出香製品の平板図
【図２】  本考案に係る紙を用いた放出香製品の斜視図
【符号の説明】１‥‥本体                ２‥‥開口部
３‥‥開口部              ４‥‥開口部
５‥‥差し込み部          ６‥‥穴部
７‥‥罫線
【図１】
0003174376.tif 000003
【図２】
0003174376.tif 000004
【手続補正書】
【提出日】平成23年9月15日(2011.9.15)
【手続補正１】
【補正対象書類名】実用新案登録請求の範囲
【補正対象項目名】請求項１
【補正方法】変更
【補正の内容】
【請求項１】
本体に放出香成分を付着もしくは展着させ、空気が通り抜けるたびに本体の開口部を通して放出香成分が漂う構造の放出香製品を変更し、円錐形或いは角錐形或いは円柱形或いは角柱形など立体形状を成し、上部及び底部及び側面部に開口部を設けた本体に放出香成分を吸着もしくは吸収させ、部屋の開け閉めや人の出入りなどで生じる自然な空気が通り抜けるたびに本体の開口部を通して放出香成分が漂う構造の放出香製品。
【手続補正２】
【補正対象書類名】実用新案登録請求の範囲
【補正対象項目名】請求項２
【補正方法】変更
【補正の内容】
【請求項２】
立体的な形状に作成する本体に、放出香成分が吸着、吸収しやすい紙、紙成型品、素焼き陶器、石膏、繊維、木材を用いる。該本体に設ける開口部の数によって空中への放散具合を調整できる請求項１記載の放出香製品  を変更し、立体的な形状に作成する本体に使用する材料としては、放出香成分が吸着もしくは吸収しやすい素材である紙或いは紙成型品或いは素焼き陶器或いは石膏或いは繊維或いは木材或いはプラスチックなど１種或いは２種以上の組み合わせを用い、該本体の上部及び底部及び側面部の開口部の数や穴の大きさにより空中への放散具合を調整できる請求項１記載の放出香製品。
【手続補正書】
【提出日】平成23年12月19日(2011.12.19)
【手続補正１】
【補正対象書類名】実用新案登録請求の範囲
【補正対象項目名】請求項１
【補正方法】変更
【補正の内容】
【請求項１】
円錐形或いは角錐形或いは円柱形或いは角柱形など立体形を成し、上部及び底部及び側面部に開口部を設けた本体に放出香成分を吸着もしくは吸収させ、部屋の開け閉めや人の出入りなどで生じる自然な空気が通り抜けるたびに本体の開口部を通して放出香成分が漂う構造の放出香製品。
【手続補正２】
【補正対象書類名】実用新案登録請求の範囲
【補正対象項目名】請求項２
【補正方法】変更
【補正の内容】
【請求項２】
立体的な形状に作成する本体に使用する材料としては、放出香成分が吸着もしくは吸収しやすい素材である紙或いは紙成型品或いは素焼き陶器或いは石膏或いは繊維或いは木材或いはプラスチックなど１種或いは２種以上の組み合わせを用い、該本体の上部及び底部及び側面部の開口部の数や穴の大きさにより空中への放散具合を調整できる請求項１記載の放出香製品。
(57)【要約】      （修正有）【課題】洗濯物を干す際に靴下または、トランクスまたは、ネクタイの洗濯物の乾燥時間を短縮でき、かつ使い勝手のよい洗濯バサミを提供する。【解決手段】洗濯バサミの先端にＵ型または、半円型または、丸型または、長丸型または、四角型または、三角型または、台形型または、ひし形または、六角形のいずれかの突起を設けることにより、洗濯物に空間をつくり、空気の通りをよくして乾燥時間を短縮する。【選択図】図１
0003174377.tif 000002
【実用新案登録請求の範囲】
【請求項１】
洗濯物を干す際にＵ型または、半円または、丸型または、長丸型または、四角型または、三角型または、台形型または、ひし形または、六角形のいずれかの突起を設けることにより洗濯物に空間をつくることができ空気の通りがよくなるため靴下または、トランクスまたは、ネクタイの乾燥時間を短縮する特徴を持つ洗濯バサミ
【考案の詳細な説明】
【技術分野】
【０００１】洗濯バサミにＵ型または、半円または、丸型または、長丸型または、四角型または、三角型または、台形型または、ひし形または、六角形のいずれかの突起を設けた特徴を持つ洗濯バサミ
【背景技術】
【０００２】従来の洗濯バサミで干した場合、靴下やトランクス等の乾きに時間がかかりました。そこで洗濯バサミにＵ型または、半円または、丸型または、長丸型または、四角型または、三角型または、台形型または、ひし形または、六角形のいずれかの突起を設けることにより空気のとおりがよくなり乾燥時間が短縮できる特徴を持つ洗濯バサミ
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】従来の洗濯バサミで干した場合、洗濯物に空間がないために空気の通りが悪く乾燥に時間がかかりましたが洗濯バサミにＵ型または、半円または、丸型または、長丸型または、四角型または、三角型または、台形型または、ひし形または、六角形のいずれかの突起を設けることにより洗濯物に空間をつくることができ空気の通りがよくなるために乾燥が早くなる特徴を持つ洗濯バサミ
【課題を解決するための手段】洗濯バサミにＵ型または、半円または、丸型または、長丸型または、四角型または、三角型または、台形型または、ひし形の突起を設ける
【考案の効果】乾燥が早くなる
【図面の簡単な説明】
【図１】（ａ）（ｂ）は、本考案の具体例の一例であり、Ｕ型または丸型の突起をつけた形状をした洗濯バサミの図である
【図２】（ｃ）（ｄ）は、本考案の使用の際の図である  なおこれらの図は本考案の一例でありこれに限定するものではない
【考案を実施するための形態】
現行の洗濯バサミに乾燥を早めるための加工がされていなかったことから請求項に基づく加工を行う
【実施例】本考案は、家庭において洗濯物が早く乾燥でき時間短縮ができる特徴を持つ洗濯バサミ
【産業上の利用可能性】本考案は洗濯バサミに関する企業にて請求項に及ぶものに使用できる特徴を持つ
【符号の説明】▲１▼・・・・洗濯バサミにＵ型の突起をつけた図
▲２▼・・・・洗濯バサミに丸型の突起をつけた図
▲３▼・・・・現行の洗濯バサミで靴下を干している図
▲４▼・・・・現行の洗濯バサミでトランクスまたは、ぱんつを干す図
【図１】
0003174377.tif 000003
【図２】
0003174377.tif 000004
【手続補正書】
【提出日】平成23年9月8日(2011.9.8)
【手続補正１】
【補正対象書類名】実用新案登録請求の範囲
【補正対象項目名】全文
【補正方法】変更
【補正の内容】
【実用新案登録請求の範囲】
【請求項１】
洗濯物を干す際にＵ型または、半円または、丸型または、長丸型または、四角型または、三角型または、台形型または、ひし形または、六角形のいずれかの突起をはさむ箇所の先端の外側または、内側に設けることにより洗濯物に空間をつくることができ空気の通りがよくなるため靴下または、トランクスまたは、ネクタイの乾燥時間を短縮する特徴を持つ洗濯バサミ
【手続補正書】
【提出日】平成23年12月19日(2011.12.19)
【手続補正１】
【補正対象書類名】実用新案登録請求の範囲
【補正対象項目名】全文
【補正方法】変更
【補正の内容】
【実用新案登録請求の範囲】
【請求項１】
洗濯物を干す際にＵ型または、半円または、丸型または、長丸型または、四角型または、三角型または、台形型または、ひし形または、六角形のいずれかの突起を先端のはさむ箇所の面と面の裏側につけることにより靴下または、トランクスまたは、ネクタイの乾燥時間を短縮する特徴を持つ洗濯バサミ
(57)【要約】      （修正有）【課題】高輝度ＬＥＤ光源の前面に配置された色フィルターにより、任意の色の光を照射させる照明装置を提供する。【解決手段】ＬＥＤ光源２の前面に置かれた、ＬＥＤからの照射光の範囲全面に対して任意の色成分のみを透過するアルミ蒸着または焼き付け塗装などの特殊加工を施した、色相を変換する色フィルター３を通し、任意の色の光を照射させる。また、色フィルタを上記とは別の色成分のみを透過するフィルターと交換することにより、任意の色の光を照射出来る様になる。【選択図】図１
0003174373.tif 000002
【実用新案登録請求の範囲】
【請求項１】
ＬＥＤ光源の前面に置かれたフィルターを通し任意の色の光を照射させる事を特徴とする照明装置
【請求項２】
ＬＥＤ光源の前面に置かれたフィルターを交換し任意の色の光を照射させる事を特徴とする、請求項１に記載の照明装置
【考案の詳細な説明】
【技術分野】
【０００１】本考案は、高輝度ＬＥＤ光源の前面に配置された色フィルターにより任意の色の光を照射させることを特徴とする照明装置である
【背景技術】
【０００２】近年、様々なタイプのＬＥＤ照明装置が商品化されているが任意の色の光を照射するためには、任意の色のＬＥＤ光源を設置するか発光色による加色法を組み合わせるより、目的の色を再現しようとする事になる
この方式により、より正確に任意の色を作り出すには多大なるコストを要する事になる
また、いくつかの光源の組み合わせであるため部分的に光が遮られた場合には、その部分の色が複数色の影となるため任意の色の光を再現することが難しい
【考案の開示】
【考案が解決しようとする課題】
【０００３】ＬＥＤ光源の色を変化させるためには発光色による加色法を組み合わせるか任意の色のＬＥＤ光源を設置する必要が有るが照射面に対して均一な色が照射されなかったりその開発には多大なるコストを要する事になる
それらを解消し、照射面に対して均一かつ任意の色の光を照射させる
【課題を解決するための手段】
【０００４】この目的を達成するために本考案の照明装置はＬＥＤ光源の前面に、特殊加工を施した色フィルターを設置し照射面に対して均一な色の光を照射させる
フィルターを任意の色に交換することにより極めて美しくかつ自由な色の光を照射させることを可能とする
【考案の効果】
【０００５】本考案は［０００４］に記した構成により、照明装置としての機能を損なうことなく、任意の色の光を照射させることを可能とする
【考案を実施するための最良の形態】
【０００６】以下本考案の一実施例について説明する
図１において、１は本考案の一実施例における筐体部を示す
２は照明装置のＬＥＤ光源を示す
３は２で照射された光を任意の色へ変換するフィルターを示す
４は変換された光を任意の方向に照射させるための導光部を示す
５は４より照射された光の照射範囲を示す
【実施例】
【０００７】本考案の照明装置は光を発生させるＬＥＤ光源色の変化を施すフィルター
光の照射範囲を決定する導光部からなりそれらを一体の筐体に収める
【産業上の利用可能性】
【０００８】近年、環境破壊が盛んに叫ばれるようになりあらゆる電気製品の省エネ化が進んでいる
照明器具も例外ではなく、あらゆる電球のＬＥＤ化が急速に進みつつある
既存の電球からの置き換えが中心であるが根本的な特性の違いから、任意の色を正確に再現する事が難しい
本考案は、これらの問題点を解決しＬＥＤ照明器具を使用した、より自由かつ高度な演出表現を可能とするものである
【図面の簡単な説明】
【０００９】
【図１】本考案の構成図
【符号の説明】
【００１０】１  筐体部
２  ＬＥＤ光源部
３  特殊色調変換フィルター
４  導光部
５  照射範囲
【図１】
0003174373.tif 000003
【手続補正書】
【提出日】平成23年6月10日(2011.6.10)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤ光源の前面に置かれた、
ＬＥＤからの照射光の範囲全面に対して
任意の色成分のみを透過する
アルミ蒸着または焼き付け塗装などの
特殊加工を施した、色相を変換する色フィルターを通し、
任意の色の光を照射させる事を特徴とする照明装置
【請求項２】
ＬＥＤ光源の前面に置かれた、
ＬＥＤからの照射光の範囲全面に対して
任意の色成分のみを透過する
アルミ蒸着または焼き付け塗装などの
特殊加工を施した、色相を変換する色フィルターを交換し
任意の色の光を照射させる事を特徴とする
請求項１に記載の照明装置
【手続補正書】
【提出日】平成23年9月12日(2011.9.12)
【手続補正１】
【補正対象書類名】実用新案登録請求の範囲
【補正対象項目名】請求項２
【補正方法】変更
【補正の内容】
【請求項２】
ＬＥＤ光源の前面に置かれた、
ＬＥＤからの照射光の範囲全面に対して
任意の色成分のみを透過する
アルミ蒸着または焼き付け塗装などの
特殊加工を施した、色相を変換する色フィルターを、
ＬＥＤ光源の前面に置かれた着脱可能な固定部分より取り外し、
新たに取り付けた異なる色相の色フィルターを通し、
任意の色の光を照射させる事を特徴とする
請求項１に記載の照明装置
【手続補正書】
【提出日】平成23年12月26日(2011.12.26)
【手続補正１】
【補正対象書類名】実用新案登録請求の範囲
【補正対象項目名】請求項２
【補正方法】変更
【補正の内容】
【請求項２】
ＬＥＤ光源の前面に置かれた、
ＬＥＤからの照射光の範囲全面に対して
任意の色成分のみを透過する
アルミ蒸着または焼き付け塗装などの
特殊加工を施した、色相を変換する色フィルターを、
ＬＥＤ光源の前面に置かれた着脱可能な固定部分より、
着脱の為の溝を通して抜き取り、新たに
溝にそって取り付け固定させた、異なる色相の色フィルターを通し、
任意の色の光を照射させる事を特徴とする
請求項１に記載の照明装置
(57)【要約】      （修正有）【課題】トマトなどの植物の生育に際して、その茎が風力などにより倒伏するのを防止できる植物用倒伏防止バンドを提供する。【解決手段】土壌において栽培される植物の茎が、これに隣接して土壌に立設された支柱との間に掛け渡される帯状部材５により拘束されるように、同部材５の側面には、同部材５の長手方向と直交する方向の多数の凸条５ａと同凸条５ａの相互間における凹溝５ｂとを備えており、同部材５の両端には、上記凹溝５ｂに係合可能な突起６ａを内側に形成された逆Ｕ字型部材６が、それぞれ設けられている。これにより帯状部材５の両端にそれぞれ形成可能の環状部を用いて、上記茎を上記支柱に拘束することができる。【選択図】図１
0003174331.tif 000002
【実用新案登録請求の範囲】
【請求項１】
土壌において栽培される植物の倒伏を防止すべく、同植物に隣接して上記土壌に立設された支柱に上記植物の茎を拘束するための弾性を有する帯状部材を備えるとともに、同帯状部材の少なくとも一側面に、同帯状部材の長手方向と直交する方向の凸条が多数列設されており、上記帯状部材の両端部に、同帯状部材において互いに隣接する上記凸条の相互間の凹溝に係合可能な突起を内側に形成された逆Ｕ字型部材が、それぞれ設けられていることを特徴とする、植物用倒伏防止バンド。
【考案の詳細な説明】
【技術分野】
【０００１】  本考案は、トマト、枝豆などの植物や、観賞用の花を咲かせる植物などについて、土壌における栽培時に、実の生育や花の開花に伴い、茎が曲がったり折れたりして倒伏するのを防止できるようにした、植物用倒伏防止バンドに関する。
【背景技術】
【０００２】  従来の植物用倒伏防止バンドとしては、弾性プラスチック材で構成された帯状部材などが用いられており、土壌における植物に隣接して立設された支柱に上記帯状部材で上記植物をリング状に囲って拘束することが行われている。
しかしながら、上記のような従来の植物用倒伏防止バンドでは、単一のリング状部分の内部で植物の茎が風力などにより激しく移動して折たり、トマトなどの実の脱落を招く恐れがある。
【考案の開示】
【考案が解決しようとする課題】
【０００３】  本考案は、トマトなどの植物の生育に伴い、その茎の倒伏を十分に防止できるようにした、植物用倒伏防止バンドを提供することを課題とする。
【課題を解決するための手段】
【０００４】  前述の課題を解決するため、本考案の植物用倒伏防止バンドは、土壌において栽培される植物の倒伏を防止すべく、同植物に隣接して上記土壌に立設された支柱に上記植物の茎を拘束するための弾性を有する帯状部材を備えるとともに、同帯状部材の少なくとも一側面に、同帯状部材の長手方向と直交する方向の凸条が多数列設されており、上記帯状部材の両端部に、同帯状部材において互いに隣接する上記凸条の相互間の凹溝に係合可能な突起を内側に形成された逆Ｕ字型部材が、それぞれ設けられていることを特徴としている。
【考案の効果】
【０００５】    上述の本考案の植物用倒伏防止バンドでは、土壌において栽培されるトマトなどの植物の茎が、同植物に隣接して上記土壌に立設された支柱に、帯状部材の両端部をそれぞれ湾曲させるようにして、上記逆Ｕ字型部材における突起を上記帯状部材において凸条の相互間の凹溝に係合させることにより、上記帯状部材の両端部に形成される環状部で、それぞれ上記植物の茎および支柱を取り囲むようにして拘束することができ、このようにして上記植物の茎の風力などによる倒伏が十分に防止されるようになる。
【実施例】
【０００６】    図１および図２に示すように、土壌１において、栽培されるトマトの植物Ａが、同土壌１の表面１ａから上方へ茎２を延ばすようにして育つ際に、風力を受けたりトマトの実３が大きく生育したりすることにより、茎２が倒伏するのを防止できるように、植物Ａに隣接して土壌１に立設された支柱４に茎２を拘束するためのバンドＢが、以下に述べるように構成される。【０００７】  バンドＢの本体は、植物Ａの茎２を支柱４に拘束できるように、プラスチック材により弾性を有する帯状部材５として構成されており、同帯状部材５の一側面には、同帯状部材５の長手方向と直交する方向の凸条５ａと凹溝５ｂとが、交互に多数列設されている。
そして、帯状部材５の両端部には、凹溝５ｂに係合可能の突起６ａを内側に形成された逆Ｕ字型部材６が、それぞれ固着されるようにして設けられている。【０００８】    上述の本実施例の植物用倒伏防止バンドＢを用いるに際しては、図２に示すように、土壌１において栽培されるトマトの植物Ａの茎２を拘束するため、同植物Ａに隣接して土壌１に立設固定された支柱４に、帯状部材５を用いて次のような操作が行われる。【０００９】  帯状部材５の両端部をそれぞれ湾曲させるようにして、逆Ｕ字型部材６における突起６ａを、帯状部材５の両端部における凸条５ａの相互間の凹溝５ｂに嵌め込んで係合させるようにしながら、帯状部材５の両端部にそれぞれ形成される環状部によって、植物Ａの茎２が支柱４に緩やかに拘束されるようになる。【００１０】  このようにして、植物Ａの茎２が風力などにより倒伏するのを十分に防止するための作業が、著しく簡便な手段で可能になる。
【図面の簡単な説明】
【００１１】
【図１】  本考案の一実施例としての植物用倒伏防止バンドを示す説明図である。
【図２】  上記植物用倒伏防止バンドの使用の際の操作状態を示す説明図である。
【符号の説明】
【００１２】  １      土壌
１ａ    土壌の表面
２      茎
３      実
４      支柱
５      帯状部材
５ａ    凸条
５ｂ    凹溝
６      逆Ｕ字型部材
６ａ    突起
Ａ      植物
Ｂ      バンド
【図１】
0003174331.tif 000003
【図２】
0003174331.tif 000004
(57)【要約】      （修正有）【課題】雑貨類の結束荷作りヒモを強固に増し締め結束するヒモ増締具を提供する。【解決手段】フランジ本体１の周縁部に逆回転を防止する上向きで弾性がある爪１ａと、爪の根本にヒモを係止する係止溝１ｂと、フランジ中央上部に突設されたヒモを巻き付ける巻き付け軸２と、巻き付け軸にヒモを挿入するヒモ挿入部２ａとを設ける。ヒモ挿入部にヒモを挿入し、フランジ本体を回転し巻き付け軸にヒモを巻き付け、係止溝にヒモを挿入固定し目的物を強固に増し締めする。【選択図】図５
0003174333.tif 000002
【実用新案登録請求の範囲】
【請求項１】
可撓性フランジ本体の周縁部に逆回転を防止する上向きで弾性がある爪と当該爪の根本にヒモを係止する係止溝と前記フランジ本体中央上部に突設したヒモを巻き付ける巻き付け軸と当該巻き付け軸にヒモを挿入するヒモ挿入部とを設けたことを特徴としたヒモ増締具。
【考案の詳細な説明】
【技術分野】
【０００１】本考案は雑貨のヒモ増締具に関する。
【技術背景】
【０００２】  従来、一般家庭で古雑誌や古新聞、空きダンボール、雑貨類を結束して処理をする場合、麻ヒモやビニールヒモで結束して運搬処理することが一般的であるが、結束荷作り経験の少ない人、非力な女性の場合ヒモを強く締め荷物がバラバラにならないように結束することが容易でなかった。
【０００３】  ときには、ヒモを強く締めきれず、持ち運びのときに荷物がバラバラになり再度結束し直すことがしばしばあった。
【０００４】
【特許文献１】  特開２００１−１３０６２５号
【考案の概要】
【考案が解決しようとする課題】
【０００５】  本考案は上記問題を解決し、古雑誌や古新聞ダンボール、雑貨の結束等を不慣れな人や非力な女性でも強固に結束することが容易にできることを目的とする。
【問題を解決するための手段】
【０００６】  本考案は古雑誌や古新聞、空きダンボールのヒモ結束具に関するもので、可撓性フランジ本体の周縁部に逆回転を防止する上向きで弾性がある爪と、爪の根本にヒモを係止する係止溝と、フランジ本体中央上部に突設したヒモを巻き付ける巻き付け軸と、巻き付け軸にヒモを挿入するヒモ挿入部とを備え、ヒモ挿入部にヒモを挿入しフランジ本体を回転し巻き付け軸にヒモを巻き付け係止溝に挿入固定し、目的物を強固に結束することで問題を解決する。
【考案の効果】
【０００７】  不慣れで経験のない人や、非力な女性にも市販のヒモで容易に強固に結束することができ、ゴミの減量化に向け目的物が強く圧縮され容量の減少になり運搬処理コストの削減に役立つ。
【図面の簡単な説明】
【０００８】
【図１】本考案のヒモ増締具本体の平面図
【図２】本考案の図１の正面図
【図３】本考案の図１の斜視図
【図４】本考案の図１にヒモを巻き付けて挿入固定した図
【図５】本考案の図３の斜視図にヒモを巻き付けて挿入固定した図
【考案を実施するための形態】
【０００９】  目的物を結束したヒモを巻き付け軸のヒモ挿入部に上から挿入し、ヒモ増締具本体を回転（本考案は爪の傾斜角が時計周り方向）したときヒモが外れないような深さのヒモ挿入部とし、フランジの爪は上向きで弾性を有し巻き付け時、ヒモの張力で爪が傾倒し乗り越え、ヒモ増締具本体の回転を緩めればヒモの張力で逆転し、爪の逆転防止作用で係止溝に挿入し固定する、またヒモ増締具本体の回転は本考案では巻き付け軸とヒモ挿入部に工具（本考案では図示せず）を差込み回転する。
【実施例】
【００１０】  以下、本考案を添付図面に従って実施例を説明する。図１は本考案の平面図を表し、ヒモ増締具本体はプラスチック等適宜素材にて形成されたフランジ状ヒモ増締具本体の、フランジ１の周縁部に上向きで弾性がある爪１ａと係止溝１ｂと、フランジ１の中央に突設した巻き付け軸２とヒモ挿入部２ａとから構成される。【００１１】  図２は本考案のヒモ増締具本体側面図で、フランジ１に上向きで弾性がある爪１ａと中央に突設した巻き付け軸２とヒモ挿入部２ａとの関係位置を表す。【００１２】  図３は本考案図１の斜視図で、フランジ１に上向きで弾性がある爪１ａと中央に突設した巻き付け軸２とヒモ挿入部２ａとの関係位置を表す。【００１３】  図４は本考案で図１のヒモ増締具本体の巻き付け軸２に、ヒモ３を巻き付けた状態を表し、予め軽く目的物（目的物は図示せず）を結束したヒモ３をヒモ挿入部２ａに挿入し、ヒモ増締具本体の中央に突設された巻き付け軸２とヒモ挿入部２ａを、工具で時計回りに回転させ係止溝１ｂにヒモ３を挿入した図を表す。【００１４】  ヒモ３を適宜強さで増し締めし、回転を緩めればヒモ３の張力でヒモ増締具本体が反時計回りに戻されフランジ１の上向きで弾性がある爪１ａの逆止作用で、ヒモ３は爪１ａの下面に当接し係止溝１ｂに挿入固定する。【００１５】  図５は本考案４図の参考斜視図を表し、ヒモ３は爪１ａ下面に当接し、係止溝１ｂに挿入固定する。【００１６】  回転工具は巻き付け軸２に勘合する凹又は凸を有する形状のものでその形状は特定するものではない。
【符号の説明】
【００１７】１・・・・フランジ
１ａ・・・爪
１ｂ・・・係止溝
２・・・・巻き付け軸
２ａ・・・ヒモ挿入部
３・・・・ヒモ
【図１】
0003174333.tif 000003
【図２】
0003174333.tif 000004
【図３】
0003174333.tif 000005
【図４】
0003174333.tif 000006
【図５】
0003174333.tif 000007